(57)【要約】【課題】リニアガイドのガイドレールをベースに取付ける際に直線性を向上させること。【解決手段】ベース１５にガイドレール１１を仮付けし、ガイドレール１１の側方に一対の調整板２０，３０を取付ける。調整板２０，３０の側方よりガイドレール１１に向けて押しねじ２３，３３を挿入し、ガイドレール１１の側壁に接触させて直線性が出るように押しねじの突出量を調整する。十分な直線性が得られた後、ベース１５にガイドレール１１を固定する。【選択図】図９
2017120094.tif 000002
【特許請求の範囲】
【請求項１】
ベース上に取付けられるガイドレールと、
前記ガイドレールに沿って直線的に移動するスライドブロックと、
前記ガイドレールの側方に長手方向に沿って前記ベース上に固定され、前記ガイドレールに向けた複数のねじ溝を有する少なくとも１つの調整板と、
前記調整板のねじ溝に外側から前記ガイドレールに向けて取付けられ、前記ガイドレールの側壁を押圧することによって前記ガイドレールの直線性を調整する複数の押しねじと、を具備するリニアガイド。
【請求項２】
前記調整板は、前記ガイドレールの左右に一対設けられたものである請求項１記載のリニアガイド。
【請求項３】
前記左右の調整板の押しねじは、互いに対称な位置に設けられたものである請求項２記載のリニアガイド。
【請求項４】
ベース上に取付けられるガイドレールと、
前記ガイドレールに沿って移動するスライドブロックと、
前記ガイドレールの側方に長手方向に沿って前記ベース上に固定され、前記ガイドレールに向けた複数のねじ溝を有する少なくとも１つの調整板と、を有するリニアガイドの直線性調整方法であって、
前記ガイドレールを前記ベースに仮止めし、
前記調整板のねじ溝に夫々押しねじを挿入し、
前記押しねじにより前記ガイドレールの側壁を押圧することによりガイドレールの直線性を調整し、
前記ガイドレールを前記ベースに固定するリニアガイドの直線性調整方法。
【発明の詳細な説明】
【技術分野】
【０００１】
本発明はガイドレールを直線的に取付けるようにしたリニアガイド及びリニアガイドの直線性の調整方法に関するものである。
【背景技術】
【０００２】
従来リニアガイドは非特許文献１等に示されている。リニアガイドは図１及び図２に示すようにガイドレール１０１にスライドブロック１０２が長手方向に走行自在に取付けられ、ガイドレール１０１に沿ってスライドブロック１０２を走行させる。このときガイドレール１０１は図３に示すベース１０３上に保持されており、スライドブロック１０２には直線的に移動させる任意の部材が取付けられる。
【先行技術文献】
【非特許文献】
【０００３】
【非特許文献１】ＴＨＫ、製品情報[Online]、平成27年12月10日検索、インターネット<URL:http://www.thk.com/?q=jp/node/6685>
【発明の概要】
【発明が解決しようとする課題】
【０００４】
ここでリニアガイドのガイドレール１０１が歪んでベース１０３に取付けられているとスライドブロック１０２の走行軌跡も歪んでしまうので、ベースに直線的に取付ける必要がある。図４はガイドレール１０１とその一部分を示す拡大図であり、厳密にはガイドレール１０１の固有のねじれ等によりわずかに歪んでベース１０３に取付けられている場合を示している。このように歪んでいると走行の軌跡が直線でなくなるため、図４の矢印に示すように人が左右の側方から押圧して修正し、直線性を向上させるようにしてガイドレール１０１をベース１０３に取付けていた。
【０００５】
人手による修正の詳細については、まず図５に概略図を示すように、ガイドレール１０１のベース１０３への取付位置を端部から順にＰ１，Ｐ２，Ｐ３・・・とする。そしてガイドレール１０１をベース１０３に取付ける際に最端部の位置Ｐ１だけでねじ止め固定し、その他の位置ではねじで仮止めしておく。次にガイドレール１０１の側方に平行に曲がりのない精密な基準スケール１０４を固定する。そして図５（ａ）に示すようにスライドブロック１０２にダイヤルゲージ１０５を載せ、基準スケール１０４と直角に接触させるようにしてスライドブロック１０２を走行させる。こうすればガイドレール１０１と基準スケール１０４との間隔が測定できることとなる。そしてダイヤルゲージ１０５が位置Ｐ１の近傍でゲージの指示が「０」となるように設定し、スライドブロック１０２を走行させ、図５（ｂ）に示すように位置Ｐ３で「０」となるようにガイドレール１０１の側壁を人が適宜押圧する。そしてこの指示値を「０」に調整できると、一旦位置Ｐ３で固定する。次いで図５（ｃ）に示すように位置Ｐ２に戻ってスライドブロックのＰ２の位置でダイヤルゲージ１０５が「０」となるように押圧して調整し、位置Ｐ２でボルトで固定する。次に位置Ｐ３のボルトを少しゆるめ、同様にして位置Ｐ４で調整してダイヤルゲージ１０５が「０」となるように調整する。
【０００６】
このように順次全ての位置でダイヤルゲージの指示が「０」となるように精密に調整する必要があった。このため調整作業に極めて多くの時間がかかるだけでなく、正確な調整が難しいという問題点があった。
【０００７】
本発明はこのような問題点に鑑みてなされたものであって、ガイドレールの直線性を容易に向上させてベースに取付けられるようにすることを技術的課題とする。
【課題を解決するための手段】
【０００８】
この課題を解決するために、本発明のリニアガイドは、ベース上に取付けられるガイドレールと、前記ガイドレールに沿って直線的に移動するスライドブロックと、前記ガイドレールの側方に長手方向に沿って前記ベース上に固定され、前記ガイドレールに向けた複数のねじ溝を有する少なくとも１つの調整板と、前記調整板のねじ溝に外側から前記ガイドレールに向けて取付けられ、前記ガイドレールの側壁を押圧することによって前記ガイドレールの直線性を調整する複数の押しねじと、を具備するものである。
【０００９】
ここで前記調整板は、前記ガイドレールの左右に一対設けられたものでとしてもよい。
【００１０】
ここで前記左右の調整板の押しねじは、互いに対称な位置に設けられたものとしてもよい。
【００１１】
この課題を解決するために、本発明のリニアガイドの直線性調整方法は、ベース上に取付けられるガイドレールと、前記ガイドレールに沿って移動するスライドブロックと、前記ガイドレールの側方に長手方向に沿って前記ベース上に固定され、前記ガイドレールに向けた複数のねじ溝を有する少なくとも１つの調整板と、を有するリニアガイドの直線性調整方法であって、前記ガイドレールを前記ベースに仮止めし、前記調整板のねじ溝に夫々押しねじを挿入し、前記押しねじにより前記ガイドレールの側壁を押圧することによりガイドレールの直線性を調整し、前記ガイドレールを前記ベースに固定するものである。
【発明の効果】
【００１２】
このような特徴を有する本発明によれば、ガイドレールの固有のねじれを容易に矯正してガイドレールの直線性を大幅に向上させ、ひいてはガイドレール上に走行するスライドブロックの軌跡の直線性を大幅に高めることができるという効果が得られる。
【図面の簡単な説明】
【００１３】
【図１】図１は従来のリニアガイドを示す平面図及び側面図である。
【図２】図２は従来のリニアガイドを示す斜視図である。
【図３】図３は従来のリニアガイドをベースに取付けた状態を示す斜視図である。
【図４】図４は従来のリニアガイドの平面図及び一部を拡大した図である。
【図５】図５は従来のガイドレールの調整過程を示す概略図である。
【図６】図６は本実施の形態によるリニアガイドをベースに取付けた状態を示す平面図である。
【図７】図７は本実施の形態によるリニアガイドをベースに取付けた状態を示す斜視図である。
【図８】図８は本実施の形態による調整板を示す斜視図である。
【図９】図９は本実施の形態によるリニアガイドの一部を示す拡大図である。
【図１０】図１０は本実施の形態によるリニアガイドの一部を示す拡大斜視図である。
【発明を実施するための形態】
【００１４】
図６は本発明の実施の形態によるリニアガイドの平面図、図７はその斜視図である。本実施の形態のリニアガイド１０も従来例と同様にガイドレール１１、スライドブロック１２を含んでいる。ガイドレール１１はスライドブロック１２をガイドレール１１に沿って走行自在に保持するものであり、中央に一定のピッチで貫通孔１３を有している。ガイドレール１１はこの貫通孔１３を用いてボルト１４によってベース１５に取付けられる。
【００１５】
さてこの実施の形態では、図６及び図７に示すように、ガイドレール１１の左右にガイドレール１１と同一の長さを有する調整板２０及び３０をガイドレール１１と平行としてベース１５に取付ける。調整板２０は図８に示すように平板状の長尺の部材であって、ガイドレール１１と同一の長さを有している。調整板２０の中央にはガイドレールの貫通孔のピッチと同一ピッチで多数の貫通孔２１が設けられており、この貫通孔２１を用いてねじ止めによってベース１５に固定される。又この貫通孔２１とは交差しないように、好ましくは各貫通孔２１の中間位置に側面から一定ピッチで貫通孔に直角にねじ溝２２が貫通して設けられている。各ねじ溝２２には夫々押しねじ２３が外側からガイドレール１１の側面に向けて取付けられる。そして調整板２０をベース１５に取付けたときに、押しねじの先端をガイドレール１１の左側面に接触させるようにしている。
【００１６】
調整板３０についても調整板２０と同一の形状を有しており、長手方向に貫通孔３１が設けられ、更に側面から一定間隔のねじ溝３２が設けられている。調整板３０はガイドレールの右側面からの押しねじの先端をガイドレール１１の右側面に接触させるようにしている。押しねじ２３，３３はガイドレール１１の側面を両側より押圧するものであり、ここではねじ溝の位置がベース１５の上面に近いためイモねじを用いている。
【００１７】
さてリニアガイド１０を設置する際には、貫通孔１３よりボルト１４によってガイドレール１１をベース１５に取付ける。このときボルト１４を一旦仮止めとする。そしてガイドレール１１に左右の側方に一対の調整板２０，３０を上部より一定間隔で貫通孔を貫いて、ボルトによってベース１５に固定する。次いで調整板２０，３０の側方からガイドレール１１に向けてねじ溝２２，３２より押しねじ２３，３３を挿入し、その先端をガイドレール１１の側壁に接触させる。図９はこの左右の調整板とガイドレール及びボルトの詳細を示す拡大図、図１０はその斜視図である。これらの図に示すように押しねじの先端をガイドレール１１の左右の側壁に接触させている。この接触位置はガイドレール１１がベースに固定されるちょうど中間位置とする。
【００１８】
さてこの状態でスライドブロック１３に前述したダイヤルゲージを配置し、ダイヤルゲージを基準スケールに接触させて移動させ、スライドブロックの軌跡が直線であるかどうかを確認する。スライドブロック１２が直線的に移動しない場合には、ガイドレール１１が蛇行しているので、その蛇行を修正するように左右の調整板２０，３０の押しねじ２３，３３をゆるめたり締め付けたりして押しねじの突出量を調整し、ガイドレール１１が直線となるように修正する。こうしてガイドレール１１の直線性を調整した後、ガイドレール１１をベース１５に確実に固定する。こうすれば容易にリニアガイドレール１１の直線性を向上させることができる。
【００１９】
尚左右の調整板２０，３０はガイドレール１１の直線性の調整に用いるため、調整が終了した状態で取り外すようにしてもよい。但し押しねじを取り外すと歪みの修正状態が保てなくなる場合には、調整板２０，３０はこのままベース１５に取付けておくことが好ましい。
【００２０】
又この実施の形態ではベース１５の左右にガイドレール１１の左右に調整板２０，３０を設けるようにしているが、調整板はガイドレールのいずれか一方のみに設けるようにしてもよい。
【００２１】
又この実施の形態では、左右の調整板２０，３０は長手方向に垂直な同一位置でガイドレール１１に対して押しねじを押し付け、ガイドレール１１の直線性を調整するようにしているが、押しねじの接触位置は左右でずらせるようにしてもよい。
【産業上の利用可能性】
【００２２】
本発明はリニアガイドに高度な直線性が要求される種々の機器、例えばブレイク装置のモニタカメラの移動機構などの広い用途に利用することができる。
【符号の説明】
【００２３】
１０  リニアガイド
１１  ガイドレール
１２  スライドブロック
１３  貫通孔
１４  ボルト
１５  ベース
２０，３０  調整板
２１，３１  貫通孔
２２，３２  ねじ溝
２３，３３  押しねじ
【図１】
2017120094.tif 000003
【図２】
2017120094.tif 000004
【図３】
2017120094.tif 000005
【図４】
2017120094.tif 000006
【図５】
2017120094.tif 000007
【図６】
2017120094.tif 000008
【図７】
2017120094.tif 000009
【図８】
2017120094.tif 000010
【図９】
2017120094.tif 000011
【図１０】
2017120094.tif 000012